(57)【要約】【課題】非接触式ＩＣカード用のアンテナをバッテリ部分に配置しつつ、非接触式ＩＣカードのアンテナへの配線とバッテリへの充電配線とが兼用される携帯用電子機器を提供する。【解決手段】充電用受電端子１４とバッテリ側受電端子６７とを電気的に結合する連結線６５と、を有し、連結線６５は、非接触式ＩＣカード用信号処理部７１と電気的に結合して非接触式ＩＣカード用信号処理部７１と前記非接触式ＩＣカード用のアンテナ３８への配線を兼ねている。【選択図】図１０
2010258834.tif 000002
【特許請求の範囲】
【請求項１】
筐体と、
前記筐体内部に形成されたバッテリ収納部と、
前記バッテリ収納部にバッテリが収納された状態においてバッテリの給電端子と接合可能なバッテリ側受電端子と、
前記バッテリを前記バッテリ収納部に出し入れ可能とするために、前記筐体に対して着脱自在に設けられたバッテリカバーと、
前記バッテリカバーに配設され、前記筐体の外部に露出している充電用受電端子と、
前記バッテリカバーに配設される非接触式のＩＣカード用のアンテナと、
前記筐体内部に配設される前記非接触式ＩＣカード用のアンテナからの信号を処理する信号処理部と、
前記充電用受電端子と前記バッテリ側受電端子とを電気的に結合する連結線と、を有し、
前記連結線は、前記信号処理部と電気的に結合して当該信号処理部と前記非接触式ＩＣカード用のアンテナへの配線を兼ねている
携帯電子機器。
【請求項２】
前記非接触式ＩＣカード用のアンテナはループアンテナであり、
前記バッテリカバーは、前記充電用受電端子と前記非接触式ＩＣカード用のアンテナとを電気的に接合するカバー側回路基板を有し、
前記カバー側回路基板には、前記充電用受電端子を流れる直流成分を前記非接触式ＩＣカード用のアンテナに供給しないための直流成分除去部が配置されている
請求項１に記載の携帯電子機器。
【請求項３】
前記バッテリカバーには、前記非接触式ＩＣカード用のアンテナを収納するためのアンテナ収納用溝部が形成され、
前記アンテナ収納用溝部に前記非接触式ＩＣカード用のアンテナが収容され、その外部側の位置に弾性を有するアンテナ固定部材が圧入されている
請求項１又は２に記載の携帯電子機器。
【請求項４】
前記アンテナ固定部材は、前記バッテリカバーが装着されている状態で、前記筐体と圧着している
請求項３に記載の携帯電子機器。
【請求項５】
前記連結線は、
前記信号処理部及び前記バッテリへの充電を制御する充電制御部が実装され、前記筐体の内部に配置された回路基板と、
前記回路基板と前記バッテリカバーの前記充電用受電端子とを結合するアダプタと、を有し、
前記アダプタは、前記バッテリカバーが装着された場合に、前記充電用受電端子と付勢力を有して接合するアダプタ端子を有している
請求項１〜４のいずれか１項に記載の携帯電子機器。
【請求項６】
前記充電用受電端子は一対に構成され、
前記非接触式ＩＣカード用のアンテナは３巻きのループアンテナであり、そのアンテナ端子は前記一対の充電用受電端子のそれぞれに接合されている
請求項１〜５のいずれか１項に記載の携帯電子機器。
【請求項７】
前記非接触式ＩＣカード用のアンテナは、前記バッテリカバーと一体的に形成されている
請求項１、２、５、６のいずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
携帯電子機器は、充電可能なバッテリを有しているものが多い。そして、このバッテリへの充電は携帯電子機器の筐体の外部に露出した受電端子に電力を供給して行うのが通常である。
また、現在の携帯電子機器は、非接触式ＩＣカードを内蔵しているものも多くなっている。
特許文献１には、ワイヤレスマイクにおいて、充電用の配線がアンテナの配線と兼用になっているものが記載されている。
【先行技術文献】
【特許文献】
【０００３】
【特許文献１】実開平５―８２１４６号公報
【発明の概要】
【発明が解決しようとする課題】
【０００４】
しかしながら、特許文献１におけるアンテナは、比較的長距離間の通信を行うものであり、現在携帯電子機器に搭載される非接触式ＩＣカードのように数センチ単位での通信を行うものではない。
それゆえ、特許文献１におけるアンテナはワイヤレスマイクの任意の位置に配置することが可能であるが、現在携帯電子機器に搭載される非接触式ＩＣカードは、数センチ単位での通信を行うためにアンテナを設ける位置は限られてしまう。
そして、非接触式ＩＣカード用のアンテナを設ける位置として、携帯電子機器のバッテリ部分がその使用状況を勘案すると最も適当であるが、かかる場合には、非接触式ＩＣカード用のアンテナの配線と充電用の配線をどのように配置するか問題となる。
【０００５】
本発明の目的は、非接触式ＩＣカード用のアンテナをバッテリ部分に配置しつつ、非接触式ＩＣカードのアンテナへの配線とバッテリへの充電配線とが兼用される携帯用電子機器を提供することである。
【課題を解決するための手段】
【０００６】
本発明の携帯電子機器は、筐体と、前記筐体内部に形成されたバッテリ収納部と、前記バッテリ収納部にバッテリが収納された状態においてバッテリの給電端子と接合可能なバッテリ側受電端子と、前記バッテリを前記バッテリ収納部に出し入れ可能とするために、前記筐体に対して着脱自在に設けられたバッテリカバーと、前記バッテリカバーに配設され、前記筐体の外部に露出している充電用受電端子と、前記バッテリカバーに配設される非接触式のＩＣカード用のアンテナと、前記筐体内部に配設される前記非接触式ＩＣカード用のアンテナからの信号を処理する信号処理部と、前記充電用受電端子と前記バッテリ側受電端子とを電気的に結合する連結線と、を有し、前記連結線は、前記信号処理部と電気的に結合して当該信号処理部と前記非接触式ＩＣカード用のアンテナへの配線を兼ねている。
【０００７】
好適には、前記非接触式ＩＣカード用のアンテナはループアンテナであり、前記バッテリカバーは、前記充電用受電端子と前記非接触式ＩＣカード用のアンテナとを電気的に接合するカバー側回路基板を有し、前記カバー側回路基板には、前記充電用受電端子を流れる直流成分を前記非接触式ＩＣカード用のアンテナに供給しないための直流成分除去部が配置されている。
【０００８】
好適には、前記バッテリカバーには、前記非接触式ＩＣカード用のアンテナを収納するためのアンテナ収納用溝部が形成され、前記アンテナ収納用溝部に前記非接触式ＩＣカード用のアンテナが収容され、その外部側の位置に弾性を有するアンテナ固定部材が圧入されている。
【０００９】
好適には、前記アンテナ固定部材は、前記バッテリカバーが装着されている状態で、前記筐体と圧着している。
【００１０】
好適には、前記連結線は、前記信号処理部及び前記バッテリへの充電を制御する充電制御部が実装され、前記筐体の内部に配置された回路基板と、前記回路基板と前記バッテリカバーの前記充電用受電端子とを結合するアダプタと、を有し、前記アダプタは、前記バッテリカバーが装着された場合に、前記充電用受電端子と付勢力を有して接合するアダプタ端子を有している。
【００１１】
好適には、前記充電用受電端子は一対に構成され、前記非接触式ＩＣカード用のアンテナは３巻きのループアンテナであり、そのアンテナ端子は前記一対の充電用受電端子のそれぞれに接合されている。
【００１２】
好適には、前記非接触式ＩＣカード用のアンテナは、前記バッテリカバーと一体的に形成されている。
【発明の効果】
【００１３】
本発明によると、非接触式ＩＣカード用のアンテナをバッテリ部分に配置しつつ、非接触式ＩＣカードのアンテナへの配線とバッテリへの充電配線とが兼用される携帯用電子機器を提供することができる。
【図面の簡単な説明】
【００１４】
【図１】本発明の実施形態に係る携帯電話機の外観を開状態で示す斜視図である。
【図２】裏面方向の位置から開状態の携帯電話機を観察した外観図である。
【図３】図２のＩＩＩ―ＩＩＩにおける断面の説明図である。
【図４】バッテリカバーを図２とは逆方向から見た外観図である。
【図５】バッテリカバーが非接触式ＩＣカードをどのように収納するのかを説明する説明図である。
【図６】図４におけるＶＩ−ＶＩにおける断面図である。
【図７】図４のＡ部分を拡大した拡大図である。
【図８】図７のＢ部分を拡大した拡大図である。
【図９】アダプタの役割を説明する説明図である。
【図１０】本発明における、充電時の電気回路を説明する説明図である。
【図１１】本発明における信号処理のブロック図である。
【発明を実施するための形態】
【００１５】
図１は、本発明の実施形態に係る携帯電話機１の外観を開状態で示す斜視図である。
【００１６】
携帯電話機１は、いわゆる折り畳み式の携帯電話機１として構成されており、開状態と閉状態との間で互いに回動可能にヒンジ部９によって連結された第１筐体２及び第２筐体３を有している。図１は、第１筐体２及び第２筐体３の開状態を示している。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１７】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１８】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００１９】
また、第１筐体２においてヒンジ部９に向かう方向を連結部方向（図１の第１筐体２においては、紙面下の方向）といい、その逆を連結部反対方向（図１の第１筐体２においては、紙面上方向）という。
同様に、第２筐体３においても、ヒンジ部９に向かう方向を連結部方向（図１の第２筐体３においては、紙面上の方向）といい、その逆を連結部反対方向（図１の第２筐体３においては、紙面下の方向）という。
【００２０】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
【００２１】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２２】
また、図１のように、第２筐体フロントケース６の表面方向には、入力部１０が配置されている。この入力部１０をユーザが操作することによって、携帯電話機１に命令の入力、文字の入力等がなされる。
【００２３】
図２は、裏面方向の位置から開状態の携帯電話機１を観察した外観図である。図２は、バッテリ２６及びバッテリカバー２７を携帯電話機１から展開した展開図でもある。
【００２４】
携帯電話機１の第２筐体リアケース７には、バッテリ２６を収納するためのバッテリ収納部１７が形成されている。
このバッテリ収納部１７は、第２筐体リアケース７の他の部分の外表面よりも凹んだ、空洞部となっている。
バッテリ収納部１７の形状はほぼ、バッテリ２６と同じ形状を有している。本実施形態においてはバッテリ２６の形状は平たい直方体であるから、バッテリ収納部１７も直方体形状を有している。
もっとも、本実施例においてはバッテリ収納部１７には、充電するための電力を後述する回路基板２３を介してバッテリ２６に供給するためのアダプタ１６が配置されているために、バッテリ収納部１７の形状はバッテリ２６と同一の形状とはなっていない。
図２のように、バッテリ収納部１７の連結部反対方向の位置にアダプタ１６が配置されている。
また、バッテリ収納部１７の連結部方向の位置にバッテリ側受電端子６７が配置されている。さらに、バッテリ収納部１７の連結部反対方向の位置には、スライド移動可能な固定装置３４が配置されている。
【００２５】
バッテリ２６は、充電して再利用可能な電池によって形成されている。たとえば、リチウムイオン電池である。
そして、バッテリ２６には２つの給電端子６６が配置されている。充電時には、この給電端子６６に直流電流が供給されることによって、バッテリ２６は充電される。
また、携帯電子機器が携帯状態で使用される場合である非充電時には、バッテリ２６に充電されていた電力が給電端子６６から供給される。
非充電時には、バッテリ２６から供給される電力が携帯電話機１の表示部８、後述する回路基板２３等の各種の電気部品に供給されて、携帯電話機１が使用可能となっている。
【００２６】
バッテリ２６は、バッテリ取出し用シート３６を有している。このバッテリ取出し用シート３６は、バッテリ２６がバッテリ収納部１７に収納された時に裏面方向に出しておいて容易にバッテリの取出しができるようにするものである。
【００２７】
バッテリ２６に、磁性シートを塗布することもできる。
これによって、後述する非接触式ＩＣカード用のアンテナ３８の感度を向上させることができる。
【００２８】
バッテリ収納部１７には、バッテリカバー２７が装着される。
バッテリカバー２７は固定爪３５を第２筐体リアケース７内に形成された隙間に挿入して連結部方向において固定され、連結部反対方向においては、スライド移動してバッテリカバー２７を固定可能な固定装置３４によって固定される。
【００２９】
バッテリカバー２７の連結部反対方向位置には、外部側受電端子面２８が２つ配置されている。
この外部側受電端子面２８は、後述するが充電用受電端子１４の外部側に露出した面である。
この２つの外部側受電端子に対応する位置に、アダプタ１６のアダプタ端子１５も２つ配置されている。
【００３０】
図３は、図２のＩＩ―ＩＩにおける断面の説明図である。
【００３１】
第２筐体フロントケース６と第２筐体リアケース７とが、その内面どうしを対向させて結合している。
そして、それによって形成される内部空間に、内部筐体２４が配置されている。内部筐体２４の裏面方向には、バッテリ収納部１７が形成されている。
そして、このバッテリ収納部１７に着脱可能なバッテリ２６が配置されている。このバッテリ２６は携帯電話機１に電力を供給している。
さらに、裏面方向には、バッテリ２６を交換可能とするためにバッテリカバー２７が配置されている。
【００３２】
内部筐体２４の、表面方向には、スイッチ３２が実装される回路基板２３が配置されている。この回路基板２３は、発光部４７が実装されている。
発光部４７は、例えば、ＬＥＤ（Light Emitting Diode:発光ダイオード）によって構成されている。
【００３３】
スイッチ３２は、例えば、固定接点３０と、ドーム状の板金であるメタルドーム２９により構成されている。メタルドーム２９は固定接点３０を覆っている。
ユーザがキートップ１３を押圧すると、それにともないラバーシート３１が弾性変形する。さらに、そのラバーシート３１の弾性変形によって、ラバーシート３１がメタルドーム２９の頭頂部を押圧する。。
それによって、メタルドーム２９も弾性変形をおこす、その変形量が一定程度を超えると、メタルドーム２９の一部が凹んで反対側に凸となる。
これによって、メタルドーム２９はクリック感を生じつつ固定接点３０に当接する。
メタルドーム２９と固定接点３０が当接することによって電流が流れ、この電流の流れを制御部５７が検出する。そして、このことによって、ユーザによるキートップ１３の押しこみ、つまり、ユーザによるキー入力操作を検出する。
【００３４】
回路基板２３の表面方向にはキーシート３３が配置されている。キーシート３３はユーザが押圧を行う部分である複数のキートップ１３と、前記複数のキートップ１３が接着されるラバーベース３１から成っている。
ラバーベース３１は、例えば、透明又は半透明で容易に撓むシリコン樹脂等で構成する。
一方、キートップ１３は、透明又は半透明で比較的強度の高いプラスチック等で構成する。
なお、キートップ１３とラバーベース３１とは必ずしも別体で構成する必要はなく、一体的に構成してもよい。
【００３５】
第２筐体フロントケース６には、キートップ１３が挿入されるための複数の開口部１８が形成されている。この開口部１８の周辺には第２筐体フロントケース６を保護する目的、及び、携帯電話機１の意匠性を向上させる目的を有する装飾シート２０が張り付けられる。
【００３６】
バッテリ収納部１７には、２つのアダプタ端子１５を有するアダプタ１６が配置されている。
このアダプタ端子１５は、表面方向にスライド移動可能であり、裏面方向に向かってバネ等によって付勢力が加えられている。
そして、バッテリカバー２７が装着されている状態において、アダプタ端子１５は充電用受電端子１４と当接する。それゆえ、アダプタ端子１５は充電用受電端子１４と圧接状態となる。
【００３７】
また、充電用受電端子１４は、内部側受電端子面３７と外部側受電端子面２８を有している。バッテリ２６と対向する方向の面が内部側受電端子面３７である。また、携帯電話機１の外部に露出している面が外部側受電端子面２８である。
したがって、アダプタ端子１５と当設しているのは、充電用受電端子１４の内部側受電端子面３７となる。
【００３８】
充電用受電端子１４の外部側受電端子面２８は、後述する（図１０参照）充電箱６２に配置されている充電用給電端子６３と圧接する。
そして、充電用受電端子１４の外部側受電端子面２８は外部電源から供給される電力を充電する役割を有している。
なお、充電箱６２に配置されている充電用給電端子６３は、外部側受電端子面２８に対応する位置に配置されていることは言うまでもない。
【００３９】
図４は、バッテリカバー２７を図２とは逆方向から見た外観図である。
【００４０】
図４のように、バッテリカバー２７には、その側面近傍に、側面と平行するようにアンテナ収納部４１が形成されている。このアンテナ収納部４１の具体的な形状、構成等については後述する（図５及び図６）。
さらに、バッテリカバー２７には、固定爪３５が配置されている。
アンテナ収納部４１内部には、非接触式ＩＣカード用のアンテナ３８が配設されている。
また、バッテリカバー２７が第２筐体リアケース７に装着されている状態において、連結部反対方向の位置にカバー側回路基板４２が配置されている。
なお、以下において、バッテリカバー２７において方向をいうときは、バッテリカバー２７が第２筐体リアケース７に装着されている状態における方向で示すこととする。
【００４１】
非接触式ＩＣカード用のアンテナ３８は、ループアンテナで構成されている。そして、巻き数は３回巻いている。
もっとも、必ずしも３回である必要はなく、必要に応じてこれよりも多い回数の巻数であってよいし、逆に少ない巻数であってもよい。
また、非接触式ＩＣカード用のアンテナ３８は、３回巻いた線の両端が後述する非接触式ＩＣカード用信号処理部７１と電気的に結合する２点結合式となっている。
【００４２】
カバー側回路基板４２には、充電用受電端子１４が配置されており、図４のように表面方向の位置から観察すると内部側受電端子面３７が現れている。
また、カバー側回路基板４２において、非接触式ＩＣカード用のアンテナ３８は充電用受電端子１４と電気的に連結されている。
さらに、カバー側回路基板４２は、直流成分除去部４０を有している。
この直流成分除去部４０は、充電用受電端子１４内を流れてくる直流成分が非接触式ＩＣカード用のアンテナ３８を通過して、非接触式ＩＣカード用のアンテナ３８が過熱し焼切れることを防止する役割を有する。
そのような機能を有する直流成分除去部４０としては、例えば、コンデンサ（Ｃ）があり得る。
なお、充電用受電端子１４が受電する電流が前述のように直流ではない場合（例えば、交流）であっても、この電流が非接触式ＩＣカード用のアンテナ３８に流入すると、同様に、加熱及び焼切れることが起こりうる。その場合においては、そのような充電用受電端子１４が受電する電流成分を除去する各種の除去部が形成される。
【００４３】
図５は、バッテリカバー２７が非接触式ＩＣカード用のアンテナ３８をどのように収納するのかを説明する説明図である。
【００４４】
図５のように、バッテリカバー２７にはアンテナ収納部４１が形成され、このアンテナ収納部４１に非接触式ＩＣカード用のアンテナ３８が収納される。
さらに、弾性を有する（例えば、エラストマー（ゴム））材料から形成されておりアンテナ収納部４１の断面よりも大きい形状を有するアンテナ固定部材３９が、アンテナ収納部４１に圧入される。
このように、アンテナ固定部材３９がアンテナ収納部４１よりも大きいことから、アンテナ固定部材３９はアンテナ収納部４１内に固定される。そして、アンテナ収納部４１とアンテナ固定部材３９の間にある非接触式ＩＣカード用のアンテナ３８もアンテナ収納部４１に固定されることとなる。
【００４５】
図６は、図４におけるＶＩ−ＶＩにおける断面図である。また、図６は、非接触式ＩＣカード用のアンテナ３８をバッテリカバー２７に固定する固定方法を説明するための説明図でもある。
【００４６】
アンテナ収納部４１はバッテリカバー２７の他の部分よりも肉厚に構成されている。
そしてこの肉厚に構成されている部分にアンテナ収納用溝部４１ａが形成されている。
この溝形状のアンテナ収納用溝部４１ａに、非接触式ＩＣカード用のアンテナ３８の３巻きの導線が挿入される。
その状態において、弾性体によって形成されているアンテナ固定部材３９を、アンテナ収納用溝部４１ａに挿入する。
このとき、アンテナ固定部材３９の幅はアンテナ収納用溝部４１ａの幅よりも大となっていることから、アンテナ固定部材３９はアンテナ収納用溝部４１ａに圧入される。
また、アンテナ固定部材３９は図６のように、アンテナ収納部４１の裏面方向の面よりも、突出している。
この突出した部分は、バッテリカバー２７が第２筐体リアケース７に装着されている状態において、第２筐体リアケース７と圧接して、防水効果を発揮する。
【００４７】
図７は、図４のＡ部分を拡大した拡大図である。
【００４８】
図７のように、カバー側回路基板４２には、充電用受電端子１４の内部側受電端子面３７が配置されている。
また、カバー側回路基板４２は、非接触式ＩＣカード用のアンテナ３８のアンテナ端子４５ａ〜４５ｆが接続されている。
ここで、２個ある充電用受電端子１４の内部側受電端子面３７の、右側面方向の位置にある内部側受電端子面３７を右側面内部側受電端子面３７ａとし、左側面方向の位置にある
内部側受電端子面３７を左側面内部側受電端子面３７ｂとして区別する。
右側面内部側受電端子面３７ａ側にあるアンテナ端子４５を、右側面内部側受電端子面３７ａの側から順に、第１アンテナ端子４５ａ、第２アンテナ端子４５ｂ及び第３アンテナ端子４５ｃとする。
同様に、左側面内部側受電端子面３７ｂ側にあるアンテナ端子４５を、左側面内部側受電端子面３７ｂの側から順に、第４アンテナ端子４５ｄ、第５アンテナ端子４５ｅ及び第３アンテナ端子４５ｃとする。
【００４９】
右側面内部側受電端子面３７ａは、第１アンテナ端子４５ａと電気的に接合されている。
第１アンテナ端子４５ａは非接触式ＩＣカード用のアンテナ３８によって一周して第４アンテナ端子４５ｄと電気的に接合している。
第４アンテナ端子４５ｄは、第２アンテナ端子４５ｂと電気的に接合されている。
第２アンテナ端子４５ｂは非接触式ＩＣカード用のアンテナ３８によって一周して第５アンテナ端子４５ｅと電気的に接合している。
第５アンテナ端子４５ｅ、第３アンテナ端子４５ｃと電気的に接合されている。
第３アンテナ端子４５ｃは非接触式ＩＣカード用のアンテナ３８によって一周して第６アンテナ端子４５ｆと電気的に接合している。
第６アンテナ端子４５ｆは、途中で直流成分除去部４０を介して左側面内部側受電端子面３７ｂと電気的に接合されている。
【００５０】
非接触式ＩＣカード用のアンテナ３８は、アンテナ収納部４１から引き出される部分にアンテナアダプタ４４を有する。
【００５１】
図８は、図７のＢ部分を拡大した拡大図である。
【００５２】
図８のように、非接触式ＩＣカード用のアンテナ３８が、アンテナ収納部４１から引き出される部分にはアンテナアダプタ４４が配置されている。
このアンテナアダプタ４４は、３つの非接触式ＩＣカード用のアンテナ３８を一つにまとめてアンテナ収納部４１から引き出す役割を有している。
また、非接触式ＩＣカード用のアンテナ３８が、アンテナ収納部４１から引き出す部分において傷つくのを防ぐ役割を有している。
【００５３】
図９は、アダプタ１６の役割を説明する説明図である。
【００５４】
図９のように、アダプタ１６は内部筐体２４に固定されている。
また、アダプタ１６のアダプタ端子１５は裏面方向に付勢されており、アダプタ端子１５はバッテリカバー２７の充電用受電端子１４と圧接している。
アダプタ１６は、アダプタ端子１５によって、充電用受電端子１４と、回路基板２３とを電気的に接合する機能を有している。
接続線４６は、回路基板２３とアダプタ４６とを電気的に結合させている。
同時に、アダプタ１６は非接触式ＩＣカード用のアンテナ３８と、回路基板２３とを電気的に接合する役割をも有している。
このような構成とすることによって、バッテリカバー２７を所定の位置に装着するだけで、充電用受電端子１４とアダプタ端子１５を電気的に結合させることができる。
【００５５】
図１０は、本発明における、充電時の電気回路を説明する説明図である。
【００５６】
充電時には、本発明の携帯電話機１は交流電流が流れている家庭用電源６０に接続された充電箱６２にセットされる。
充電箱６２には、充電用受電端子１４の外部側受電端子面２８と圧接する充電用給電端子６３が配置されている。
充電用給電端子６３と家庭用電源６０との間には、ＡＣ／ＤＣ変換部６１が配置されている。このＡＣ／ＤＣ変換部６１は家庭用電源６０から供給される交流電流を直流電流に変えて、充電用給電端子６３に供給するためのものである。
【００５７】
バッテリカバー２７には、充電用受電端子１４と非接触式ＩＣカード用のアンテナ３８と直流成分除去部４０が配置されている。
非接触式ＩＣカードのアンテナ３８は、直流成分除去部４０を介して充電用受電端子１４と電気的に結合されている。
非接触式ＩＣカードのアンテナ３８は、２つの端子を有しており、３巻きのループアンテナである。もっとも、これに限定する趣旨ではない。
【００５８】
充電用受電端子１４の内部側受電端子面３７は、アダプタ１６のアダプタ端子１５と圧着している。アダプタ端子１５は充電制御部７０を介してバッテリ側受電端子６７と電気的に結合している。
充電制御部７０は、後述する電源制御部５５によって制御されており、充電の開始・停止・充電スピード等を制御しつつバッテリ２６に充電を行っている。
バッテリ２６は給電端子６６を有しており、この給電端子６６がバッテリ側受電端子６７と圧接している。
バッテリ２６に蓄えられた電力は、携帯電話機１の回路基板２３、表示部８等の各種の電子部品に供給される。
また、携帯電話機１が充電箱６２にセットされている時には、バッテリ２６に蓄えられた電力ではなく、家庭用電源６０から供給される電力が前述した各種の電子部品に供給される。
【００５９】
アダプタ１６のアダプタ端子１５からバッテリ側受電端子６７までの間を連結線６５と定義する。（図１０中において太線で記載してある。）
この連結線６５に、非接触式ＩＣカード用信号処理部７１が配置される。
非接触式ＩＣカード用信号処理部７１は、非接触式ＩＣカードに関する処理を行う部分である。
非接触式ＩＣカード用信号処理部７１は非接触式ＩＣカード用のアンテナ３８と連結線６５、充電用受電端子１４を介して接続されている。
非接触式ＩＣカード用のアンテナ３８は外部からの電波信号を受けるためのものである。
電波信号を受けた時には、非接触式ＩＣカード用のアンテナ３８はこの電波信号を電気信号に変換して非接触式ＩＣカード用信号処理部７１に入力する。
そして、この電波信号を契機として非接触式ＩＣカード用信号処理部７１は必要な内部処理を行い、その結果を電気信号として非接触式ＩＣカード用のアンテナ３８に出力する。
この電気信号は非接触式ＩＣカード用のアンテナ３８によって電波信号に変換される。
非接触式ＩＣカードによって達成される目的・用途は複数ありうるが、例えば、駅における自動改札、店における料金の支払い、会社内等への入室カード等がある。それに応じて、非接触式ＩＣカード用信号処理部７１の内部処理も複数の処理がなされる。
なお、この非接触式ＩＣカード用信号処理部７１にも、バッテリ２６によって駆動のための電力が供給される。
【００６０】
このように、非接触式ＩＣカード用のアンテナ３８への配線と、バッテリ２６への充電用の配線とを兼用させたことによって、配線が１つで済むという効果がある。
そして、配線が一つでよいということは、携帯電話機１の内部構造の単純化を行うことができるし、製造及び組立が容易となるという効果もある。さらに、構造が単純であり製造及び組立が容易であるということは、コストの削減にも効果を有する。
また、非接触式ＩＣカード用のアンテナ３８をバッテリカバー２７に配置することができるので、携帯電話機１を非接触式ＩＣカードのリーダに接近させる時に、リーダに近接させやすい部分であるバッテリカバー２７部に非接触式ＩＣカード用のアンテナ３８を配置することができる。
また、アンテナ固定部材３９に、非接触式ＩＣカード用のアンテナ３８を固定する機能に加えて防水機能をも有させることができる。
【００６１】
図１１は、本発明における信号処理のブロック図である。
【００６２】
図１１に示されるように、携帯電話機１は、制御・処理の中枢である制御部５７と、電源制御部５５と、通信部５１と、操作部５２と、音声入出力部５３と、表示部８と、のそれぞれが、アドレス、データ、コントロールのためのラインが複数本からなるシステムバス５８に共通に接続され、構成される。
【００６３】
電源制御部５５は、は、携帯電話機１が携帯して使用されている場合には、携帯電話機１内の、表示部８及び制御部５７等が実装される回路基板２３等への電力の供給を制御している。
また、充電時には充電制御部７０を制御して、バッテリ２６への充電開始及び充電停止、並びに充電の速度等を制御している。
また、電源制御部５５は電池残量も算出している。
【００６４】
通信部５１は、無線通信システムを捕捉し、通信ネットワークに接続される基地局との間で無線通信を行い、各種データの送受信を行う。
【００６５】
操作部５２は、入力部１０及びその他の部分から入力されるユーザの指示を受ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
【００６６】
音声入出力部５３は、スピーカから出力される音声信号やマイクロフォンにおいて入力される音声信号の入出力処理を行う。
すなわち、音声入出力部５３は、マイクロフォンから入力された音声を増幅し、アナログ／デジタル変換を行い、更に符号化等の信号処理を施し、デジタルの音声データに変換して制御部５７に出力する。
また、音声入出力部５３は、制御部５７から供給される音声データに復号化、デジタル／アナログ変換、増幅等の信号処理を施し、アナログの音声信号に変換してスピーカに出力する。
【００６７】
表示部８は、例えばＬＣＤやＯＬＥＤ（Organic light-emitting diode（有機ＥＬ））を用いて構成されており、制御部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
【００６８】
制御部５７は、携帯電話機１の全体的な動作を統括的に制御する。
すなわち、制御部５７は、携帯電話機１の各種処理が操作部５２の操作に応じて適切な手順で実行されるように、上述した各ブロックの動作（通信部５１における信号の送受信、表示部８における画像の表示等）を制御する。
なお、各種処理とは、例えば、回線交換網を介して行われる音声通話、電子メールの作成と送受信、インターネットのＷｅｂ上のサイトの閲覧などである。
さらに、制御部５７は、記憶部に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
本発明では、制御部５７は特に、バッテリ２６への充電の開始、停止等の命令を行う。
【００６９】
＜変形例＞
なお、以上の実施態様ではアンテナ収納部４１に非接触式ＩＣカード用のアンテナ３８を収納していたが、より好適な変形例を以下に記載する。
バッテリカバー２７は、プラスチックなどによって形成されているのが通常であるから、射出成型機によって製造される。
そうすると、バッテリカバー２７を射出成形機において成形する段階で、非接触式ＩＣカードのアンテナ３８をも一体的に形成することが考えられる。
このようにすると、アンテナ収納部４１は不要となり組み立て工程が単純化できる。
さらに、一体的に構成することによって、非接触式ＩＣカード用のアンテナ３８が取れてしまったりする恐れがなくなる。
【００７０】
以上の実施形態によれば、本発明の携帯電話機１は、第２筐体３と、第２筐体３内部に形成されたバッテリ収納部１７と、バッテリ収納部１７にバッテリ２６が収納された状態においてバッテリの充電用給電端子６３と接合可能なバッテリ側受電端子６７と、を有する。
また、バッテリ２６をバッテリ収納部１７に出し入れ可能とするために、第２筐体３に対して着脱自在に設けられたバッテリカバー２７と、バッテリカバー２７に配設され、第２筐体３の外部に露出している充電用受電端子１４と、を有している。
そして、バッテリカバー２７に配設される非接触式のＩＣカード用のアンテナ３８と、第２筐体３内部に配設される非接触式ＩＣカード用のアンテナ３８からの信号を処理する非接触式ＩＣカード用信号処理部７１と、を有している。
さらに、充電用受電端子１４とバッテリ側受電端子６７とを電気的に結合する連結線６５とを有している。
加えて、連結線６５は、非接触式ＩＣカード用信号処理部７１と電気的に結合して非接触式ＩＣカード用信号処理部７１と前記非接触式ＩＣカード用のアンテナ３８への配線を兼ねている。
このような構成によって、非接触式ＩＣカード用のアンテナ３８への配線と、バッテリ２６への充電用の配線とを兼用させたことによって、配線が１つで済むという効果がある。
そして、配線が一つでよいということは、携帯電話機１の内部構造の単純化を行うことができるし、製造及び組立が容易となるという効果もある。さらに、構造が単純であり製造及び組立が容易であるということは、コストの削減にも効果を奏する。
また、非接触式ＩＣカード用のアンテナ３８をバッテリカバー２７に配置することができるので、携帯電話機１を非接触式ＩＣカードのリーダに接近させる時に、リーダに近接させやすい部分であるバッテリカバー２７部に非接触式ＩＣカード用のアンテナ３８を配置することができる。
【００７１】
非接触式ＩＣカード用のアンテナ３８はループアンテナであり、バッテリカバー２７は、充電用受電端子１４と非接触式ＩＣカード用のアンテナ３８とを電気的に接合するカバー側回路基板４２を有している。
そして、カバー側回路基板４２には、前記充電用受電端子１４を流れる直流成分を非接触式ＩＣカード用のアンテナ３８に供給しないための直流成分除去部４０が配置されている。
このような構成によって、充電用受電端子１４内を流れてくる直流成分が非接触式ＩＣカード用のアンテナ３８を通過して、非接触式ＩＣカード用のアンテナ３８が過熱し焼切れることを防止する役割を有する。
また、充電用受電端子１４に非接触式ＩＣカード用のアンテナ３８への配線機能を離させることもできる。
【００７２】
バッテリカバー２７には、非接触式ＩＣカード用のアンテナ３８を収納するためのアンテナ収納用溝部４１ａ形成されている。
そして、アンテナ収納用溝部４１ａに非接触式ＩＣカード用のアンテナ３８が収容され、その外部側の位置に弾性を有するアンテナ固定部材３９が圧入されている。
このような構成によって、アンテナ固定部材３９は非接触式ＩＣカード用のアンテナ３８を固定する機能を有する。
さらに、このような構成によって、アンテナ固定部材３９は、非接触式ＩＣカード用のアンテナ３８を固定する機能を発揮することができる。
【００７３】
前記アンテナ固定部材３９は、バッテリカバー２７が装着されている状態で、第２筐体３と圧着している。
このような構成によって、アンテナ固定部材３９は、非接触式ＩＣカード用のアンテナ３８を固定する機能を発揮しつつ、バッテリカバー２７部分の防水機能をも果たすことができる。
このように一つの部材に、複数の機能を持たせることによって、携帯電話機１をより小型化することが可能となる。
【００７４】
連結線６５は、非接触式ＩＣカード用信号処理部７１及びバッテリ２６への充電を制御する充電制御部７０が実装され、第２筐体３の内部に配置された回路基板２３と、回路基板２３とバッテリカバー２７の充電用受電端子１４とを結合するアダプタ１６と、を有している。
そして、アダプタ１６は、バッテリカバー２７が装着された場合に、充電用受電端子１４と付勢力を有して接合するアダプタ端子１５を有している。
このような構成によって、バッテリカバー２７を所定の位置に装着するだけで、充電用受電端子１４とアダプタ端子１５を電気的に結合させることができる。
【００７５】
充電用受電端子１４は一対に構成され、非接触式ＩＣカード用のアンテナ３８は３巻きのループアンテナであり、そのアンテナ端子４５は一対の充電用受電端子１４のそれぞれに接合されている。
このような構成とすることによって、非接触式ＩＣカード用のアンテナ３８の感度を上げることができる。
【００７６】
非接触式ＩＣカード用のアンテナ３８は、バッテリカバー２７と一体的に形成されている。
このような構成とすることによって、アンテナ収納部４１は不要となり組み立て工程が単純化できる。
さらに、一体的に構成することによって、非接触式ＩＣカード用のアンテナ３８が取れてしまったりする恐れがなくなる。
【００７７】
なお、以上の実施形態において、第１筐体２及び第２筐体３は本発明の筐体の一例である。つまり、筺体とは、携帯電子機器を収容する容器に該当するものであればどのようなものであってもよい。さらに、容器の一部、例えば、第１筐体フロントケース４、第１筐体リアケース５、第２筐体フロントケース６及び第２筐体リアケース７であっても筺体に該当する。
【００７８】
非接触式ＩＣカード用信号処理部７１は、本発明の信号処理部の一例である。
【００７９】
キーシート３３は、キートップ１３とラバーベース３１とを総称する概念である。また、キートップ１３は必ずしもキートップ１３とラバーベース３１が別体として構成されている必要はなく、一体形成されていてもよい。さらに、キートップ１３がなくラバーベース３１に直接キー図形が形成されているような場合におけるラバーベース３１についてもキーシート３３に含まれる。
【００８０】
本発明は、以上の実施形態に限定されず、種々の態様で実施されてよい。
【００８１】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００８２】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１１…右側面、１２…左側面、１３…キートップ、１４…充電用受電端子、１５…アダプタ端子、１６…アダプタ、１７…バッテリ収納部、２０…装飾シート、２３…回路基板、２４…内部筐体、２６…バッテリ、２７…バッテリカバー、２８…外部側受電端子面、２９…メタルドーム、３０…固定接点、３１…ラバーベース、３２…スイッチ、３３…キーシート、３４…固定装置、３５…固定爪、３６…バッテリ取出し用シート、３７…内部側受電端子面、３８…非接触式ＩＣカード用のアンテナ、３９…アンテナ固定部材、４０…直流成分除去部、４１…アンテナ収納部、４１ａ…アンテナ収納用溝部、４２…カバー側回路基板、４４…アンテナアダプタ、４５…アンテナ端子、４６…接続線、４７…発光部、５１…通信部、５２…操作部、５３…音声入出力部、５４…表示部、５５…電源制御部、５７…制御部、５８…システムバス、６０…家庭用電源、６１…ＡＣ／ＤＣ変換部、６２…充電箱、６３…充電用給電端子、６５…連結線、６６…給電端子、６７…バッテリ側受電端子、７０…充電制御部、７１…非接触式ＩＣカード用信号処理部（信号処理部）
Ａ…バッテリカバー受電部、Ｂ…アンテナアダプタ部
【図１】
2010258834.tif 000003
【図２】
2010258834.tif 000004
【図３】
2010258834.tif 000005
【図４】
2010258834.tif 000006
【図５】
2010258834.tif 000007
【図６】
2010258834.tif 000008
【図７】
2010258834.tif 000009
【図８】
2010258834.tif 000010
【図９】
2010258834.tif 000011
【図１０】
2010258834.tif 000012
【図１１】
2010258834.tif 000013